(57)【要約】【課題】  アドレスからフィニッシュまでの一連の流れを左右する重要なポイントであるリストコックのタイミング及びリリースのタイミングを練習できるゴルフスイング用具の提供。【解決手段】  スライド可能な錘となる鞘部分１と、その鞘１に納まるシャフト部分２が一対のベルト３で連結された構造である。この用具によりハ―フ・スイングのバックスイング位置でリストコックすることにより、鞘部分１が耳元で滑り落ちるが、この時に滑り落ちる感覚と音を体感すると共に、ロック機構部分のソケット６，７が当たる音により、リストコックの位置を確認できる。又、ダウンスイングでは、リストコックのリリースにより、スライド可能な鞘部分１が反動で抜けようとするが、外れ防止の一対のベルト３により阻止され、衝撃とともに、そのベルトがシャフト部分２を打撃してでる音を体感することができ、これにより、各自自分の身体に合った無理のないスイングが実現できる。【選択図】        図１
2007296261.tif 000002
【特許請求の範囲】
【請求項１】
鞘と、その鞘にスライド可能な部分が納まるシャフトと、前記鞘と前記シャフト間を連結し、且つ、前記シャフトが外側の方向にスライドしたときにそのシャフトに当ると共に、鞘にシャフトが納まるときに折曲がる一対のベルトと、前記鞘と前記シャフトの先端部に設けられたグリップとを備えたゴルフスイング練習用具。
【請求項２】
前記鞘又は前記シャフトの先端部に、片方が両手サイズのグリップで、もう片方が片手サイズのグリップを形成したことを特徴とした請求項１に記載のゴルフスイング練習用具。
【請求項３】
前記鞘及び前記シャフトのスライドを規制する手段であって、鞘にシャフトが納まる動きではロックされることがないロック機構を設けることを特徴とした請求項１又は２に記載のゴルフスイング練習用具。
【請求項４】
前記鞘に前記シャフトが納まる状態で、前記ベルトの折曲がり状態があらかじめ、形状記憶させてあることを特徴した請求項１乃至３の何れかに記載のゴルフスイング練習用具。
【請求項５】
両端のグリップの長さとスライドの長さはそのままで、前記鞘と前記シャフトを短くしたことを特徴とする請求項２乃至４の何れかに記載のゴルフスイング練習用具。
【請求項６】
前記片手サイズのグリップに、アタッチメントの着脱がワンタッチで出来る取付構造を設けたことを特徴とした請求項２乃至５の何れかに記載のゴルフスイング練習用具。
【請求項７】
前記アタッチメントは、錘となるボトルを取り付けることできボトル取り付け治具であることを特徴とする請求項６に記載のゴルフスイング練習用具。
【発明の詳細な説明】
【技術分野】
【０００１】
本発明は、ゴルフのスイングを練習する練習用具に関するものである。
【背景技術】
【０００２】
ゴルフスイングの練習は、アドレス、バックスイングからフォロースルー、フィニッシュまでの一連の流れにおいて、適正なスイングが出来るように練習するのが一般的である。
しかしその適正なスイングとは、テキストの理論や指導者の理想的なスイングであり、思うようにはなかなか出来ないのが実情である。そこで少しでも理想のフォームに近づくために、色々なゴルフスイング練習用具が考案されている。
例として、公知のゴルフスイング練習用具の中には、特開２００６−６８２５９（特許文献１）又は実開平６−８０４６２（特許文献２）に記載されたものがある。
特許文献１によれば、トップスピード位置を適正位置に矯正する用具であるとされる。
特許文献２によれば、身体の中心を軸にした回転運動をし、クラブの軌道をスイングプレーンから外さないように適正なリズムでスイングを行うことを自然に体得させるとある。そして、いずれの場合も結果として、適正とされるテキストの理論や指導者の理想的なスイングを目標としたゴルフスイング用具であるとされる。
【特許文献１】特開２００６−６８２５９
【特許文献２】実開平６−８０４６２
【発明の開示】
【発明が解決しようとする課題】
【０００３】
しかしながら、個人の体格や柔軟性が個々に異なり、なかなかその適正とされるテキストの理論通りや、指導者の言う通りにはスイングが出来ないのが実情である。
また、特許文献１及び特許文献２の各練習用具では、その習得が難しいとされるバックスイングでのリストコックのタイミングや、ダウンスイングでのリストコックのリリース等についての練習と各練習用具との関係についての記載がない。
よって、上記各練習用具ではバックスイングでのリストコックのタイミング、トップ位置の確認、ダウンスイングでのリストコックのリリース、トップスピードのタイミングを自分の身体に合った感覚での体得までは望めない。
【０００４】
そこで、本発明に係るゴルフスイング練習用具は、前記課題を解決するために成されたもので、アドレス、バックスイングからフィニッシュまでの一連の流れを左右する重要なポイントであるリストコックのタイミング及びリリースのタイミングを練習することができるゴルフスイング用具を提供することを目的とする。
【課題を解決するための手段】
【０００５】
本発明は、前記課題を解決するための手段として、次の構成を有したゴルフスイング練習用具である。
即ち、鞘と、その鞘にスライド可能な部分が納まるシャフトと、前記鞘と前記シャフト間を連結し、且つ、前記シャフトが外側の方向にスライドしたときにそのシャフトに当ると共に、鞘にシャフトが納まるときに折曲がる一対のベルトと、前記鞘と前記シャフトの先端部に設けられたグリップとを備えている（請求項１の記載の発明）。
本発明のゴルフスイング練習用具によるレッスンの基本をハーフスイングとした場合に、ハーフスイングでの無理の無い、自分の限界のバックスイングの位置でリストコックすることにより、スライド可能な錘となる鞘部分（又はシャフト部分）が立ち上がり耳元で滑り落ちる。そしてこの時のすべり落ちる感覚と音を体感することにより、リストコックの位置を身体の型で認識することができる。
【０００６】
また、ダウンスイングでは、スライド可能な錘となる鞘部分（又はシャフト部分）の反動による衝撃と、一対のベルトが、その鞘に納まるシャフト部分を両側から挟むように打つ音により、リストコックのリリースのタイミングを体感できる。
さらに、これらの動作の各ポイントにおいて、自分に合った腰の動きも併せて認識することができる。
このことは、それぞれのポイントで、無理のない自分の型で、しかも同じ状態の繰り返しの練習を可能とする。
【０００７】
また、前記鞘又は前記シャフトの先端部に、片方が両手サイズのグリップで、もう片方が片手サイズのグリップを形成したことを特徴としたゴルフスイング練習用具である（請求項２に記載の発明）。
この片手サイズのグリップは、片腕によるスイングの練習において、グリップ部を反対に持ち変えることにより、先端の錘（シャフト又は鞘）を替えての練習を可能とするものである。
この時、スライド可能な錘となる鞘部分（又はシャフト部分）と、その鞘に納まるシャフト部分の動きは、前記（請求項１の記載の発明）と反対の動きとなり、片腕によるバックスイングとダウンスイングでの練習が同じようにできる。
【０００８】
また、前記鞘及び前記シャフトのスライドを規制する手段であって、鞘にシャフトが納まる動きではロックされることがないロック機構を設けることを特徴としたゴルフスイング練習用具である（請求項３に記載の発明）。
例えば、前記一対のベルトが固定される側双方の位置より９０度ずらした位置それぞれに、練習時の動きではロックされることのないロック機構を有するようにした。
このロック機構は、スイングの練習時にバックスイングの位置でリストコックすることにより、スライド可能な錘となる鞘部分（又はシャフト部分）が立ち上がり、耳元で滑り落ちる感覚とこの音とは別に、その滑り落ちる鞘部分（又はシャフト部分）の先端がシャフト側（鞘側）のグリップ先端部に衝突すると同時に、ロック機構としてのオスソケットとメスソケットの部分が当る時に発生する音により、リストコックの位置をより一層強く体感することができる。
通常このゴルフスイング練習用具のスライドを使わない時は、前記鞘及び前記シャフトのスライドを規制する手段として、オスソケットとメスソケットの両側から指で押し込んでロックされる。
【０００９】
また、前記ゴルフスイング練習用具の一対のベルトは、アドレス時には伸びた状態で、次のバックスイングでのリストコック時には縮み、さらにダウンスイングではまた伸びる動作が繰り返し行われるが、この時、常にベルトが同じ状態を保つことができるように、前記鞘に前記シャフトが納まる状態で、前記ベルトの折曲がり状態があらかじめ、形状記憶させてあることを特徴したゴルフスイング練習用具である（請求項４に記載の発明）。
この一対のベルトは、ダウンスイング時の、リストコックのリリースのタイミングでスライド可能な錘となる鞘部分が反動で抜け出ることを阻止する働きをするが、併せて、一度縮んだ一対のベルトが伸びきることにより、ベルトがシャフト部分を打撃することにより発生する音を体感することができる。
また、この時発生する音のポイントで、リストコックのリリースのタイミングを体感することができる。
そしてこの方法により、無理の無い自分の型で繰り返し練習することができる。
【００１０】
また、両端のグリップの長さとスライドの幅はそのままで、鞘部分とシャフト部分を短くしたことを特徴としたゴルフスイング練習用具である（請求項５に記載の発明）。
この携帯用ゴルフスイング練習用具によれば、狭い場所で練習が可能であり、さらに、出張時にもバックなどに入れて持ち運びができ、いつでもどこでも練習が可能となる。
【００１１】
また、前記片手サイズのグリップ部に、アタッチメントの着脱がワンタッチで出来る取付構造を設けたことを特徴としたゴルフスイング練習用具である（請求項６に記載の発明）。
このアタッチメントの着脱可能な取付構造は、棒状の軸を持ったアタッチメントの着脱がワンタッチできるものである。
【００１２】
さらに、前記アタッチメントは、錘となるボトルを取り付けることできボトル取り付け治具であることを特徴とするゴルフスイング練習用具とした（請求項７に記載の発明）。
前記ボトル取り付け治具は前記取付構造（アタッチメント取付構造ともいう）と取合うことができる、割目が形成された軸とボトルをねじ込むキャップ部分からなる。
このボトル取り付け治具のキャップ部分は、市販のペットボトルやアルミボトル等を利用できるサイズに形成される。
そして、水や砂等を利用して重さを調整したボトルをこのボトル取り付け治具に取り付け、前記のアタッチメント取付構造に差し込んで取り付けることにより、ゴルフスイング練習用具のヘッドの重さを変えての練習を可能とする。
【発明の効果】
【００１３】
本発明によると、鞘となる部分または、その反対となるシャフト部分の滑り落ちる音と感覚、そして、ロック機構部でのソケットの当る音、さらに、ベルトの衝撃とベルトの打撃から発生する音と感覚等、これら音と感覚によるタイミングの確認は、目で追って確認することを必要としないので、無駄な動きも無くなる。
そして各自、自分の身体に合った無理のないかたちで、リストコックとリリース及び腰の動きを同じ型で繰り返し練習することができ、自分に合ったスイングを体得することができる。
【発明を実施するための最良の形態】
【００１４】
上記発明の実施形態を図面に基づいて詳細に説明する。
図１は本発明の全体斜視図、図２は鞘とシャフトの要部、ベルト及びロック機構の要部を示した平面図、図３はボトル取り付け治具とボトル斜視図、図４はボトル取り付け治具とアタッチメント取付構造との取合いの断面図である。
【００１５】
本発明のゴルフスイング練習用具は、鞘（鞘部分ともいう）１と、シャフト（シャフト部分ともいう）２と、双方を連結する外れ防止用の一対のベルト３とで構成される。
そしてシャフト部分２の図１の先端部側には、通常のゴルフ・クラブと同じような両手サイズのグリップＡ４が設けられ、鞘部分１の図１の先端部側には、グリップＡ４の長さの約半分の長さとなる片手サイズのグリップＢ５が設けられる。さらに、鞘部分１のグリップＢ５の反対側の端部には、ロック機構１５を構成するソケットのであるオスソケット６と、その固定部分を保護する目的の保護部Ｂ９が、シャフト部分２のグリップＡ４の下端部には、ロック機構１５を構成するメスソケット７が設けられ、その固定部分を保護する目的の保護部Ａ８を有す。
また、グリップ部Ｂ５の先端部には、アタッチメント取付構造１０が設けられている。
【００１６】
このゴルフスイング練習用具の大きさは、外れ防止用の一対のベルト３が伸びきった状態で、全長が９３０ｍｍ〜９９０ｍｍ程度で、ベルト３のスライド幅は１５０ｍｍ〜１６０ｍｍ程度である。また、各部の詳細は、次の通りである。
【００１７】
鞘部分１は、鋼製で中空のパイプであって、その外径が１５ｍｍ程度で、長さは５１０ｍｍ〜５３０ｍｍ程度である。そして下端側には長さが１５０ｍｍ〜１７０ｍｍ円錐形のグリップＢ５が形成される。
【００１８】
シャフト部分２は、外径が１３ｍｍ程度で長さが６５０ｍｍ〜６７０ｍｍ程度の丸鋼であり、前記鞘１にスライド可能な部分が納まるように構成され、その上端側には、２７０ｍｍ〜３００ｍｍ程度の長さの通常のゴルフ・クラブと同じような形状のグリップＡ４が形成される。
【００１９】
前記ベルト３とソケットのロック機構１５の実施形態を図２にて説明する。
鞘部分１及びシャフト部分２双方を連結する一対のベルト３は、繊維等で編込まれた厚さ２ｍｍ・幅２５ｍｍ程度のベルトであって、あらかじめ中心部で外側（グリップＡ４側）に折れ、鞘部分１とシャフト部分２が接する位置では、グリップＡ４側にたたみ込むように、折曲がり状態を形状記憶させてある、癖がつけられた一対のベルトである。
そのベルト３の両端部の一方は鞘部分１の端に、もう片方はグリップＡ４の端に、それぞれ適宜方法、例えばビス、接着剤等で固定される。
また、このベルト３は多少の硬さを持ち、鞘部分１のスライド時のねじれを防止する。
そして、鞘部分１に固定された部分は、保護部Ｂ９でテーピング等で保護され、同じくグリップＡ４に固定された部分は、保護部Ａ８でテーピング等により保護される。
また、このテーピングによる保護は、ソケットのベルトを固定している部分の固定部Ｂ１２と固定部Ａ１１の保護も兼ねる。
このように構成されたベルト３は、上記実施形態に限定されるものではなく、その他、例えば薄いスチールで作成してもよい。
【００２０】
前記鞘部分１にはオスソケット６が、シャフト部分２のグリップＡ４の端部にはメスソケット７が設けられ、それらは、繊維等のベルトを利用して夫々の固定部Ａ１１と固定部Ｂ１２とで、双方のソケットが噛合可能な状態で固定される。この時、夫々のソケットの後部には、僅かなフリー部分Ａ１３とフリー部分Ｂ１４が設けられる。
これらのフリー部分Ａ１３とフリー部分Ｂ１４は、例えばスソケット６及びメスソケット７の基端側を受けいれるスペースを前記固定部Ａ１１と固定部Ｂ１２に形成することにより構成される。
そして、このフリー部分の効果により、鞘１にシャフト２が納まる動きではロックされることがなく、練習時の動きではロックされることはない。そして、双方のソケットを指で押し込むことでロック可能となる、ソケットのロック機構１５である。
【００２１】
次に、アタッチメント取付構造１０とボトル取り付け治具１６の実施形態について図３と図４にて説明する。
【００２２】
鞘部分１のグリップＢ５の先端に内蔵された、アタッチメント取付構造１０に挿入されるボトル取り付け治具１６は、棒状で上部にロック部分２３を有し、中心部に割目が形成された軸１７と、その下方となる部分に、内側にメネジ部１８を設けたキャップ１９が取り付けられ、そのキャップ１９の上には鍔２０が設けられた形状を成す。
そしてこれらは、合成樹脂等の材質で一体成型されることが望ましい。また、軸１７の長さは、１６０ｍｍ〜１８０ｍｍ程度で、その外径は少なくともロック用パイプ２２の内径よりやや小さく、鍔２０の外径は、鞘用パイプ２１の外径よりやや大きい。
【００２３】
また、アタッチメント取付構造１０は、グリップ５の下部に圧縮ばね２４を
収めるスペースを有し、鞘用パイプ２１の内側に、その内径よりやや小さい外径となるロック用パイプ２２が設けられる。
このロック用パイプ２２の長さは、ボトル取り付け治具１６の軸１７の長さと、圧縮ばね２４のサイズで決定される。
さらに、このアタッチメント取付構造１０に挿入されるボトル取り付け治具１６のロック部分２３を解除する、ロック解除ピン２５がロック部分２３の近傍設けられる。
【００２４】
次に、このアタッチメント取り付け部１０と、ボトル取り付け治具１６との兼ね合いを説明する。
キャップ１９にボトル２６が取り付けられた、ボトル取り付け治具１６の軸１７をアタッチメント取付構造１０の下端より、ロック用パイプ２２に挿入する。この時、軸１７のロック部分２３は、軸１７の中心部に形成された割れ目の作用で絞り込まれた状態のままで、ロック用パイプ２２の内部を通過し、上端部を過ぎた位置でロック部分２３は元の形状に開放され、ロックパイプ２２の上端部に引っ掛ってロック状態になる。この時、鍔２０により圧縮ばね２４も縮められた状態でロックされるが、圧縮ばね２４には常に元にも戻ろうとする力が働き、ボトル取り付け治具１６を確実に保持することができる。
【００２５】
そして、ボトル取り付け治具１６の取り外しは、アタッチメント取付構造１０のグリップＢ５の上端部近傍に設けられたロック解除ピン２５を指で押し込むことにより、簡単に解除することができる。よって、ワンタッチでアタッチメントの着脱ができるようになっている。
【００２６】
なお、上記実施形態では、前記鞘部分１の先端部にグリップＢ５を、前記シャフト部分２にグリップＡ４を設けたが、この逆の構成でもよい。
また、両端のグリップＡ４、Ｂ５の長さと、前記シャフト部分２のスライドの長さはそのままで、例えば図１に示したＸの部分について、前記鞘２と前記シャフト１を短くしてもよい。
【００２７】
最後に、上記構成のゴルフスイング練習用具の使用例を図５Ａ〜図５Ｄに基づいて説明する。
ここでは、ハーフスイング（概ね時計盤の９時から３時のスイング）でのゴルフスイング練習用具の使用例を説明する。
図５Ａのアドレスから、図５Ｂのように前記練習用具を後方に引き上げるバックスイングに移行すると共に、図５Ｃに示したように、自分の適宜のバックスイングの位置で手首を、薬指を中心にして右手の甲側に折り曲げるようにリストコックすることにより、鞘部分１が耳元で滑り落ち、前記鞘部分１に前記シャフト部分２が納まる。そしてこの時のすべり落ちる感覚と、鞘部分１がグリップＡ４に突き当たる音等を体感することにより、リストコックの位置を身体の型で認識することができる。
さらに、図５Ｃに示したように、ダウンスイングでは、スライド可能な錘となる鞘部分１の反動による衝撃と、前記ベルト３が、その鞘１からスライドしたシャフト部分２を両側から挟むように打つ音により、インパクト、フォロースルー（図５Ｄ））に向けて手首を元の位置に戻すリストコックのリリースのタイミングを体感できる。
【００２８】
なお、このゴルフスイング練習用具を持ち運ぶときには、前記ロック機構１５が前記鞘１及び前記シャフト２のスライドを規制する手段となって、持ち運び易いようにしている。
【図面の簡単な説明】
【００２９】
【図１】ゴルフスイング練習用具の全体斜視図、
【図２】ベルトとソケットのロック機構の要部平面図、
【図３】ボトル取り付け治具とボトル斜視図、
【図４】ボトル取り付け治具とアタッチメント取付構造との取合いの断面、
【図５】Ａ〜Ｄ  ゴルフスイング練習用具の使用例図である。
【符号の説明】
【００３０】
１  鞘部分                            ２  シャフト部分
３  ベルト                            ４  グリップＡ
５  グリップＢ                        ６  オスソケット
７  メスソケット                      ８  保護部Ａ
９  保護部Ｂ                          １０  アタッチメント取り付け部
１１  固定部Ａ                        １２  固定部Ｂ
１３  フリー部分Ａ                    １４  フリー部分Ｂ
１５  ソケットのロック機構部          １６  ボトル取り付け治具
１７  軸                              １８  メネジ部
１９  キャップ                        ２０  鍔
２１  鞘用パイプ                      ２２  ロック用パイプ
２３  ロック部分                      ２４  圧縮ばね
２５  ロック解除ピン
【図１】
2007296261.tif 000003
【図２】
2007296261.tif 000004
【図３】
2007296261.tif 000005
【図４】
2007296261.tif 000006
【図５】
2007296261.tif 000007